(57)【特許請求の範囲】
【請求項１】
水を濾過・浄水するフィルタリング手段と、前記フィルタリング手段を通過して濾過された水が貯蔵される貯蔵タンクと、前記濾過された水を前記貯蔵タンクへ供給する供給ポンプと、前記貯蔵タンクの濾過された水を浄水器の外部に吐き出す吐出流路とを具備する浄水器において、
前記吐出流路が貯蔵タンクの底部に連通して形成され、
前記吐出流路の途中に前記貯蔵タンク内の濾過された水を浄水器の外部にポンピングする抽出ポンプが設けられ、
前記抽出ポンプの吐出側の吐出流路に、吐出流路内にサイフォン現象が発生することを防止するサイフォン手段が設けられ、
前記抽出ポンプにより貯蔵タンク内の濾過された水を浄水器の外部に吐出するように構成したことを特徴とする、
浄水器。
【請求項２】
請求項１において、前記貯蔵タンクに連結される吐出管の入口側に設けられ、底面には吐出流路と連通した連通孔が形成されて、上端部には通気孔が形成されたサイフォンキャップと、前記サイフォンキャップの内部に昇降自在に設けられ、前記吐出流路の圧力差により前記通気孔を開閉するサイフォン部材が具備されていることを特徴とする、浄水器。
【発明の詳細な説明】
【０００１】
【発明の属する技術分野】
本発明は浄水器に関するもので、さらに詳しくは貯蔵タンクの設置位置に関係なく貯蔵タンク内の水を円滑に吐き出すことができるようにしたポンピング手段と、衛生上洗滌が容易にできるように浄水器本体の一側に着脱自在に結合される着脱式貯蔵タンクと、貯蔵タンクの内部の水を吐出時、吐出管から発生されるサイフォン現象を防止するようにした吐出装置を具備した浄水器に関するものである。
【０００２】
【従来の技術】
従来技術による浄水器は図１に図示したように、浄水器本体１に貯蔵タンク２が一体に形成されていて、貯蔵タンク２の一側にはセジメントフィルター３、先カーボンフィルター４及びメンブレンフィルター５、後カーボンフィルター６が順に配列設置されていて、セジメントフィルター３と先カーボンフィルター４との間にモーターポンプ７が連結設置されている。
【０００３】
このように構成される従来技術による浄水器はモーターポンプ７のポンピング力により各々のフィルター３、４、５、６を通過しながら濾過された水が貯蔵タンク２に集水されて吐出コック(図示せず)を通じて供給される。
【０００４】
【発明が解決しようとする課題】
しかしながら、従来の技術による浄水器は貯蔵タンク２を浄水器本体１の上側に位置させて重力により吐出コック(図示せず)で水を供給するため貯蔵タンク２に収納されている濾過された水の水位が吐出コックの位置より低い場合には水を供給することができない問題がある。
【０００５】
従って、モーターポンプ７を駆動しつづけて貯蔵タンク２側に濾過された水を供給しなければならなくて、また貯蔵タンク２の水位が吐出コックより高く位置されるように設計されるため全体浄水器のサイズが必要以上に大きくなる問題がある。
【０００６】
また、従来技術による浄水器は吐出コックが固定タイプであるため消費者が排出される水を収去し難い問題があると共に、濾過フィルターから貯蔵タンク２に連結される供給管が一字形になっているため貯蔵タンク２の蓋に連結されている供給管が貯蔵タンク２の掃除時、蓋を開放する過程で折られてしまい、それから供給管の損傷で漏水が発生するが、多様な角度から供給管を設置することができないため設計上制約を受ける問題がある。
【０００７】
さらに、従来には浄水器本体１に貯蔵タンク２が一体に形成されているため浄水器の貯蔵タンク２を掃除する過程で浄水器の各種部品が水に接触されて部品が損傷される問題があると共に、従来貯蔵タンク２の構造では貯蔵タンク２の内部底や隅々まで清潔に掃除し難く浄水器の衛生管理に問題がある。
【０００８】
【発明の目的】
本発明は前記のような点を勘案して創出されたもので、貯蔵タンクの水を吐き出させるためのポンピング手段を具備して貯蔵タンクの設置位置または水位に制約を受けずに水が円滑に吐き出されるようにして、製品を小型にすることができる浄水器を提供することにその目的がある。
【０００９】
また、本発明の目的は、掃除が簡便で、衛生上維持管理が容易にできるように浄水器本体に着脱自在に形成された着脱式貯蔵タンクを具備した浄水器を提供することにある。
【００１０】
更に、本発明の目的は、浄水された水の吐出時ポンピング圧により発生されるサイフォン現象を防止し水の浪費を減らすことができるように吐出装置を具備した浄水器を提供することにある。
【００１１】
【課題を解決するための手段】
前述のような目的を達成するための本発明は、水を濾過・浄水するフィルタリング手段と、前記フィルタリング手段を通過して濾過された水が貯蔵される貯蔵タンクと、前記濾過された水を前記貯蔵タンクへ供給する供給ポンプと、前記貯蔵タンクの濾過された水を浄水器の外部に吐き出す吐出流路とを具備する浄水器において、前記吐出流路が貯蔵タンクの底部に連通して形成され、前記吐出流路の途中に前記貯蔵タンク内の濾過された水を浄水器の外部にポンピングする抽出ポンプが設けられ、前記抽出ポンプの吐出側の吐出流路に、吐出流路内にサイフォン現象が発生することを防止するサイフォン手段が設けられ、前記抽出ポンプにより貯蔵タンク内の濾過された水を浄水器の外部に吐出するように構成したことを特徴とする。
【００１９】
前述の目的を達成するための本発明は、前記した浄水器において、前記貯蔵タンクに連結される吐出管の入口側に設けられ、底面には吐出流路と連通した連通孔が形成されて、上端部には通気孔が形成されたサイフォンキャップと、前記サイフォンキャップの内部に昇降自在に設けられ、前記吐出流路の圧力差により前記通気孔を開閉するサイフォン部材が具備されていることを特徴とする。
【００２２】
【発明の実施の形態】
以下、添付の図面を参照して本発明の好ましい実施例を詳細に説明する。
【００２３】
下記の詳細な説明では同一構成要素に対しては同一な符号をつけて、新しい構成要素に対しては新しい符号をつけて説明し、同一構成要素に対する詳細な説明は省略する。
【００２４】
図２は、本発明の一実施例による浄水器の配管構成を示した展開図であり、図３は、図２による本発明の浄水器の構造を示した斜視図である。
【００２５】
本発明の一実施例による浄水器は、図２に示したように、供給される原水を前処理する複合フィルター２２と、複合フィルター２２から濾過された水または生活用水などが流入される逆浸透圧方式によって濾過されるメンブレンフィルター２４と、メンブレンフィルター２４を通過した水が後処理される後カーボンフィルター２６とで構成されるフィルタリング手段と、前記フィルタリング手段により濾過された水が供給されて貯蔵される貯蔵タンク３０と、前記濾過された水を前記貯蔵タンク３０へ供給する供給ポンプ４０とを含んで構成される。
【００２６】
さらに、前記貯蔵タンク３０の一側には内部に収納、貯蔵された水を吐出コック(図示せず)を通じて外部に排出させるための抽出ポンプ５０が設けられる。
【００２７】
また、本発明の浄水器は、図３に示したように、浄水器本体２０の前面部(front side)に吐出管２１が形成されていて、このような吐出管２１は可撓性材質のパイプで形成して、この吐出管２１からの水の吐出角度を３６０°自在に調節できるようにしている。
【００２８】
一方、前記吐出コック(図示せず)は、図３に示したような可撓性材質の吐出管２１で形成することが好ましい。
【００２９】
本発明の浄水器は、フィルタリング手段を通過した水を貯蔵タンク３０側へ供給するために後カーボンフィルター２６と貯蔵タンク３０とを供給管２８を介して相互連通されるようにしているが、前記供給管２８はシリコン成分が含有された可撓性材質で構成することが好ましい。前記吐出管２１と供給管２８は、さらに好ましくは蛇腹で形成する。
【００３０】
前記のように構成される本発明による浄水器の作用及び効果を説明すると次のようである。
【００３１】
本発明による浄水器は、図２に示したように、複合フィルター２２、メンブレンフィルター２４及び後カーボンフィルター２６により濾過された水を貯蔵タンク３０内に貯蔵するようになっていて、前記貯蔵タンク３０の吐出側に具備された抽出ポンプ５０により水を外部にポンピングするようになる。前記貯蔵タンク３０の内部の水を吐き出させるためには吐出コック(図示せず)を開放させるようになるが、それにより抽出ポンプ５０が作動されて抽出ポンプ５０のポンピング圧により浄水された水が吐き出されるようになる。従って、貯蔵タンク３０内の水位が低いとしても水は円滑に吐き出されるため、貯蔵タンク３０の設置位置を低く設計することができ全体浄水器のサイズを小型化することができる。
【００３２】
また、本発明の浄水器は、吐出コックの吐出管２１が可撓性パイプで形成されているため、消費者が水を収去する時、吐出管２１を曲げて位置を調節した状態でより簡便に取水することができる。
【００３３】
さらに、後カーボンフィルター２６を通過して濾過された水を貯蔵タンク３０へ供給する供給管２８は蛇腹で形成されているため、後カーボンフィルター２６の設置位置の変更から供給管２８の設置角度及び位置が変更されるとしても供給管２８の設置が容易であり、また貯蔵タンク３０のカバーを開放する状態でも供給管２８が折れることがないため円滑に水を供給することができる。
【００３４】
図４は、図２による本発明浄水器の他の一実施例を図示した斜視図であり、浄水器本体２０から貯蔵タンク３０の一部を分離した状態を示している。
【００３５】
本発明の浄水器で貯蔵タンク３０は、図４に図示したように、前記フィルタリング手段を通じて供給される水を実質的に貯蔵するようになる貯水桶３４と、この貯水桶３４が装着される所定の深さの装着部３８と、この装着部３８の上部を覆うカバー３２で構成される。
【００３６】
前記貯水桶３４は、装着部３８に挿入・分離可能なように着脱自在に形成されて、前記貯水桶３４の底には開閉バルブ３６が具備される。また、前記装着部３８の底面には、貯水桶３４の開閉バルブ３６を開閉するための開閉口３８ａが設けられる。
【００３７】
このように構成される本発明の浄水器を掃除しようとする場合、先ず貯蔵タンク３０のカバー３２を開放させて前記貯水桶３４を上方に取り外すと装着部３８の開閉口３８ａと貯水桶３４の開閉バルブ３６は相互分離される。この際、前記貯水桶３４の開閉バルブ３６は、自然に閉められて水が漏れることを防止する。
【００３８】
貯水桶３４を浄水器本体２０から分離して掃除を済ませた後には、前記貯水桶３４を再び装着部３８に戻らせるようになるが、この際、貯水桶３４の開閉バルブ３６が装着部３８の開閉口３８ａにより自動的に開放されて、前記貯水桶３４は、吐出コックに連結された吐出流路と連通される状態になるのである。
【００３９】
図５は、本発明のまた他の一実施例による浄水器の吐出側配管構造を示した断面図であり、図６は、図５の“Ａ”部の拡大図である。
【００４０】
これに図示したように、本発明の浄水器には、抽出ポンプ５０により貯蔵タンク３０の内部の水を吐き出す時、前記抽出ポンプ５０の吐出圧力により吐出流路５５内にサイフォン現象が発生することを防止するための所定のサイフォン防止手段が具備される。
【００４１】
前記サイフォン防止手段は、貯蔵タンク３０で吐出管２１の入口側に設けられるものであって、底面には前記吐出流路５５と連通される連通孔６２が形成されて上端部には円形の通気孔６４が形成されているサイフォンキャップ６０と、前記サイフォンキャップ６０の内部に設けられてポンピング圧力により通気孔６４を開閉しサイフォン現象を防止するようになるサイフォン部材７０とで構成される。
【００４２】
サイフォンキャップ６０の中央には、ガイドボス６６が形成されていて、サイフォン部材７０の中央には前記ガイドボス６６により案内され昇降するようになる昇降軸７２が形成されていて、前記サイフォン部材７０の昇降軸７２の下端には、サイフォンキャップ６０内部の通気孔６４を開閉するための遮断板７４が一体に形成されている。
【００４３】
図７は、図５による本発明浄水器の吐出側に具備されるサイフォン防止手段の動作状態を示した図面で、図７（ａ）は抽出ポンプ稼動時の状態を示した断面図であり、図７（ｂ）は抽出ポンプ停止時の状態を示した断面図である。
【００４４】
図７（ａ）に示したように、浄水器から水を吐き出させるために抽出ポンプ５０を作動させると、抽出ポンプ５０のポンピング圧により水が貯蔵タンク３０から吐出管２１側に供給されて、このように吐出流路５５を通じて吐出管２１側に水が吐き出される状態では水の吐出圧力によりサイフォン部材７０はサイフォンキャップ６０の内部で上昇されてサイフォン部材７０の遮断板７４が通気孔６４を遮断するようになる。
【００４５】
このようにサイフォン部材７０の遮断板７４が通気孔６４を遮断するため、供給される水はサイフォンキャップ６０から漏水されない状態で吐出管２１側に供給されて吐き出される。
【００４６】
抽出ポンプ５０の作動を停止させると図７（ｂ）に示したように、供給される水の流量が瞬間的に変化するためサイフォン部材７０の遮断板７４に加えられていた圧力が除去されると共に通気孔６４を遮断していたサイフォン部材７０は下降されて、サイフォン部材７０の遮断板７４が通気孔６４を開放すると共に通気孔６４を通じて外部空気が流入される。
【００４７】
このように、開放された通気孔６４を通じて流入される空気の圧力により、吐出管２１の入口側で負圧が発生され吐出流路５５から吐出管２１に流入される水を遮断することによりサイフォン現象の発生を防止する。
【００４８】
【発明の効果】
以上説明したように、本発明は、貯蔵タンクの水をポンピング圧により排出させる抽出ポンプを具備することにより貯蔵タンクの位置が低い浄水器の設計が可能になるため、浄水器の全体サイズが小型化できる効果がある。
また、吐出コックである吐出管が可撓性パイプで形成されていて、浄水された水を便利な位置から取ることができるため、消費者の便宜を図る効果もある。
さらに、貯蔵タンクに水を供給するために貯蔵タンクのカバーと連結される供給管を蛇腹で形成することにより、貯蔵タンクの掃除時、カバーを開放する過程で供給管が折れ曲がるとしても円滑に元の状態に復帰可能であり、設計変更によって供給管の設置角度または位置が変更されるとしても濾過された水を貯蔵タンクへ円滑に供給することができる効果がある。
また、本発明は、浄水器本体から貯蔵タンクの貯水桶を分離可能にした構造を提供することによって、貯蔵タンクの掃除が容易かつ簡便になり、そのため浄水器の衛生管理をさらに清潔に維持することができる効果がある。
また、本発明は、吐出流路上にサイフォン防止手段を具備して水の吐出時にはサイフォンキャップの通気孔を遮断して漏水を防止し、抽出ポンプが停止されると瞬間的な流量変化で通気孔が開放され通気孔を通じて流入される空気圧により吐出流路に負圧を発生させて、これによりサイフォン現象を防止し吐出管側に水が続けざまに吐き出されることを防止して、消費者の製品信頼度を向上させる効果がある。
【図面の簡単な説明】
【図１】  従来技術による浄水器の構成を示した斜視図である。
【図２】  本発明の一実施例による浄水器の配管構成を示した展開図である。
【図３】  図２による本発明の浄水器の構造を示した斜視図である。
【図４】  図２による本発明浄水器の他の一実施例を示した斜視図である。
【図５】  本発明のまた他の一実施例による浄水器の吐出側配管構造を示した断面図である。
【図６】  図５の“Ａ”部の拡大図である。
【図７】  図５による本発明浄水器の吐出側に具備されるサイフォン防止手段の作動状態を示した図面であって、（ａ）は抽出ポンプ稼動時の状態を示した断面図であり、（ｂ）は抽出ポンプ停止時の状態を示した断面図である。
【符号の説明】
２０：浄水器本体
２１：吐出管
２２：複合フィルター
２４：メンブレンフィルター
２６：後カーボンフィルター
３０：貯蔵タンク
３２：カバー
３４：貯水桶
３６：開閉バルブ
３８：装着部
３８ａ：開閉口
４０：供給ポンプ
５０：抽出ポンプ
５５：吐出流路
６０：サイフォンキャップ
６２：流通孔
６４：通気孔
６６：ガイドボス
７０：サイフォン部材
７２：昇降軸
７４：遮断板
【図１】
0003819320.tif 000002
【図２】
0003819320.tif 000003
【図３】
0003819320.tif 000004
【図４】
0003819320.tif 000005
【図５】
0003819320.tif 000006
【図６】
0003819320.tif 000007
【図７】
0003819320.tif 000008